(57)【要約】【課題】整流子およびブラシを効率的に冷却可能な構造を備えた電動送風機を提案する。【解決手段】電動送風機８は、ファンケース４２と、ファンケース４２に覆われ空気を吸い込む遠心ファン４４と、ファンケース４２に連通されるとともに排気口４５を有するモータケース４７と、遠心ファン４４が一方の端部４８ａに一体に固定された回転軸４８と、モータケース４７に設けられて回転軸４８の他方の端部４８ｂを軸支するモータヘッド部６２と、回転軸４８に設けられた回転子８１、回転子８１の周囲に配置された固定子８２および回転軸４８に設けられモータヘッド部６２に近接させて配置された整流子８３を有するモータ５１と、を備え、モータケース４７は、モータヘッド部６２の周縁部に配置された貫通孔６４と、モータヘッド部６２側からファンケース４２に向かって広がる中空錐体形状部６１と、を有する。【選択図】  図４
2011196325.tif 000002
【特許請求の範囲】
【請求項１】
吸気口を有するファンケースと、
前記ファンケースに覆われて前記吸気口から空気を吸い込む遠心ファンと、
前記ファンケースに連通されるとともに排気口を有するモータケースと、
前記遠心ファンが一方の端部に一体に固定された回転軸と、
前記モータケースに設けられて前記回転軸の他方の端部を軸支する軸支部と、
前記回転軸に設けられた回転子、前記モータケースに保持されて前記回転子の周囲に配置された固定子および前記回転軸に設けられ前記軸支部に近接させて配置されて前記回転子に電気的に接続された整流子を有するモータと、を備え、
前記モータケースは、前記軸支部の周縁部に配置された貫通孔と、前記軸支部側から前記ファンケースに向かって広がる中空錐体形状部と、を有することを特徴とする電動送風機。
【請求項２】
前記貫通孔および前記排気口は、前記回転軸の回転軸芯方向視において相互に異なる位相に配置されたことを特徴とする請求項１に記載の電動送風機。
【請求項３】
前記軸支部に連続させて前記モータケースに一体に形成され前記貫通孔の周縁に配置されて前記回転軸の回転軸芯に平行な方向へ延ばされた補強リブを備えたことを特徴とする請求項１または２に記載の電動送風機。
【請求項４】
吸気口を有するファンケースと、
前記ファンケースに覆われて前記吸気口から空気を吸い込む遠心ファンと、
前記ファンケースに連通されるとともに排気口を有するモータケースと、
前記遠心ファンが一方の端部に一体に固定された回転軸と、
前記モータケースに設けられて前記回転軸の他方の端部を軸支する軸支部と、
前記回転軸に設けられた回転子、前記モータケースに保持されて前記回転子の周囲に配置された固定子および前記回転軸に設けられ前記軸支部に近接させて配置されて前記回転子に電気的に接続された整流子を有するモータと、を備え、
前記モータケースは、前記軸支部側から前記ファンケースに向かって広がる中空錐体形状部と、前記中空錐体形状部の側面に一体に形成されて前記排気口を前記回転軸から離れる方向へ複数の開口に分割するとともに前記回転軸の回転軸芯に平行な方向へ延びた排気案内羽根と、を有することを特徴とする電動送風機。
【請求項５】
前記中空錐体形状部の側面に一体に形成されて前記排気口を前記回転軸から離れる方向へ複数の開口に分割するとともに前記回転軸の回転軸芯に平行な方向へ延びた排気案内羽根を備えたことを特徴とする請求項１から３のいずれか１項に記載の電動送風機。
【請求項６】
前記モータケースは樹脂を用いて構成されたことを特徴とする請求項１から５のいずれか１項に記載の電動送風機。
【発明の詳細な説明】
【技術分野】
【０００１】
本発明は、電動送風機に関するものである。
【背景技術】
【０００２】
従来、電気掃除機に吸い込み負圧を発生させる電動送風機が知られている。  
従来の電動送風機は、吸気口を有する金属製のファンケースと、ファンケースに覆われて吸気口から空気を吸い込む遠心ファンと、ファンケースに連通されるとともに排気口を有するモータケースと、遠心ファンが一体に固定された回転軸と、回転軸に設けられた回転子およびモータケースに保持されて回転子の周囲に配置された固定子を有するモータと、を備える。
【０００３】
一般に、遠心ファンを回転させるモータは整流子モータであり、回転子に電気的に接続された整流子を回転軸に備える。
【０００４】
一方、モータケースは、回転軸を軸支するとともにモータを収容する外殻であり、金属製のものと樹脂製のものが知られている。モータケースの内部空間はケースファンの内部空間に連通されており、遠心ファンがファンケースの内部空間に吐出した空気はモータの冷却風としてモータケースの内部空間に導かれ排気口から排気される（例えば、特許文献１参照）。
【先行技術文献】
【特許文献】
【０００５】
【特許文献１】特開２００１−１６５０９２号公報
【発明の概要】
【発明が解決しようとする課題】
【０００６】
一般に樹脂製のモータケースは金属製のモータケースに比べて軽量であり、製造コストの観点からも好ましい。しかしながら、樹脂製のモータケースは金属製のモータケースに比べて熱伝導率が低く、十分な放熱性を得難い。モータの駆動によって発生する熱はもっぱらモータケース内の空気の流れ（冷却風）によって冷却されるものの、熱伝導率の低い樹脂製のモータケースでは熱源の周囲に十分な冷却風の流れを生じなければ局所的に過加熱（冷却不足）となる可能性がある。
【０００７】
ところで、電気掃除機などに用いられる整流子モータは、整流子とブラシとの摩擦によって当該部分が発熱する。この部分に過加熱を生じさせると電動送風機の寿命が短くなってしまう。例えば、特許文献１に記載の電動送風機は、整流子およびブラシの周囲に積極的な冷却風の誘導がない。電動送風機では、整流子およびブラシを過加熱に至らせないよう十分に冷却することが重要であり、樹脂製のモータケースを備えた電動送風機では特に顕著である。
【０００８】
そこで、本発明は、整流子およびブラシを効率的に冷却可能な構造を備えた電動送風機を提案する。
【課題を解決するための手段】
【０００９】
前記の課題を解決するため本発明に係る電動送風機は、吸気口を有するファンケースと、前記ファンケースに覆われて前記吸気口から空気を吸い込む遠心ファンと、前記ファンケースに連通されるとともに排気口を有するモータケースと、前記遠心ファンが一方の端部に一体に固定された回転軸と、前記モータケースに設けられて前記回転軸の他方の端部を軸支する軸支部と、前記回転軸に設けられた回転子、前記モータケースに保持されて前記回転子の周囲に配置された固定子および前記回転軸に設けられ前記軸支部に近接させて配置されて前記回転子に電気的に接続された整流子を有するモータと、を備え、前記モータケースは、前記軸支部の周縁部に配置された貫通孔と、前記軸支部側から前記ファンケースに向かって広がる中空錐体形状部と、を有することを特徴とする。
【００１０】
また、本発明に係る電動送風機は、吸気口を有するファンケースと、前記ファンケースに覆われて前記吸気口から空気を吸い込む遠心ファンと、前記ファンケースに連通されるとともに排気口を有するモータケースと、前記遠心ファンが一方の端部に一体に固定された回転軸と、前記モータケースに設けられて前記回転軸の他方の端部を軸支する軸支部と、前記回転軸に設けられた回転子、前記モータケースに保持されて前記回転子の周囲に配置された固定子および前記回転軸に設けられ前記軸支部に近接させて配置されて前記回転子に電気的に接続された整流子を有するモータと、を備え、前記モータケースは、前記軸支部側から前記ファンケースに向かって広がる中空錐体形状部と、前記中空錐体形状部の側面に一体に形成されて前記排気口を前記回転軸から離れる方向へ複数の開口に分割するとともに前記回転軸の回転軸芯に平行な方向へ延びた排気案内羽根と、を有することを特徴とする。
【発明の効果】
【００１１】
本発明によれば、整流子およびブラシを効率的に冷却可能な構造を備えた電動送風機を提供できる。
【図面の簡単な説明】
【００１２】
【図１】本発明の実施形態に係る電動送風機を備えた電気掃除機の外観を示した斜視図。
【図２】本発明の実施形態に係る電動送風機を示した斜視図。
【図３】本発明の実施形態に係る電動送風機を示した背面図。
【図４】本発明の実施形態に係る電動送風機を示した図３のＩＶ−ＩＶ線における断面図。
【図５】本発明の実施形態に係る電動送風機を示した図３のＶ−Ｖ線における断面図。
【発明を実施するための形態】
【００１３】
本発明に係る電動送風機の実施形態について図１から図５を参照して説明する。  
図１は、本発明の実施形態に係る電動送風機を備えた電気掃除機の外観を示した斜視図である。
【００１４】
図１に示すように、電気掃除機１は、いわゆるキャニスタ型の電気掃除機である。電気掃除機１は、被掃除面上に配置される掃除機本体２と、掃除機本体２に着脱自在に接続された管部３と、を備える。
【００１５】
掃除機本体２は、本体ケース５と、本体ケース５の両側方に軸支された一対の車輪６と、本体ケース５に着脱自在に装着された塵埃分離集塵部７と、塵埃分離集塵部７に連通された電動送風機８と、電動送風機８の駆動を制御する本体制御部９と、電動送風機８に電力を導く電源コード１１と、を備える。
【００１６】
本体ケース５は、塵埃分離集塵部７に連通された本体接続口１２を有する。
【００１７】
塵埃分離集塵部７は、電動送風機８が発生させた負圧によって電気掃除機１に吸い込まれる塵埃を含んだ空気から塵埃を分離し、捕集する。
【００１８】
車輪６は、掃除機本体２の走行用の大径の走行輪である。
【００１９】
本体制御部９は、予め設定された複数の運転モードを有する。また、本体制御部９は、管部３から入力される操作信号に対応させて複数の運転モードから任意の運転モードを択一的に選択し電動送風機８を駆動させる。それぞれの運転モードは、管部３から入力される操作信号に対応付けられるとともに、電動送風機８の入力値を互いに異ならせて設定される。
【００２０】
電源コード１１は、自由端部に電源プラグ１４を備える。
【００２１】
管部３は、電動送風機８の運転にともない掃除機本体２から作用する負圧によって被掃除面上の塵埃を空気とともに吸い込み掃除機本体２に案内する。管部３は、掃除機本体２の本体接続口１２に着脱自在に接続された接続管１９と、接続管１９に連通された集塵ホース２１と、集塵ホース２１に連通された手元操作管２２と、手元操作管２２から突出させて設けられた把持部２３と、把持部２３に設けられた操作部２４と、手元操作管２２に着脱自在に接続され連通された延長管２５と、延長管２５に着脱自在に接続され連通された吸込口体２６と、を備える。
【００２２】
集塵ホース２１は、細長略円筒状に形成され可撓性を有する。集塵ホース２１の一端は、接続管１９に接続される。集塵ホース２１は、接続管１９を介して掃除機本体２の内部に連通される。
【００２３】
手元操作管２２の一端は、集塵ホース２１の他端に設けられる。手元操作管２２は、接続管１９および集塵ホース２１を介して掃除機本体２の内部に連通される。
【００２４】
把持部２３は、電気掃除機１のユーザが把持して電気掃除機１を操作するものである。把持部２３は、手元操作管２２の他端部から突出させて設けられ手元操作管２２の一端部に指向させて湾曲される。
【００２５】
操作部２４は、それぞれの運転モードに対応させたスイッチを備える。具体的には、操作部２４は、電動送風機８の運転停止操作を受け取る停止スイッチ２４ａと、電動送風機８の運転開始操作を受け取る起動スイッチ２４ｂと、を備える。起動スイッチ２４ｂは、弱運転スイッチ（図示省略）、中運転スイッチ（図示省略）および強運転スイッチ（図示省略）を別個に備える構成にしても良い。電気掃除機１のユーザは、操作部２４を操作して電動送風機８の運転モードを択一的に選択できる。
【００２６】
延長管２５は、伸縮可能な細長略円筒状に形成される。延長管２５は、複数の筒状体を重ね合わせてテレスコピック構造に構成される。延長管２５の一端は、手元操作管２２の他端に着脱自在に接続される。延長管２５は、接続管１９、手元操作管２２および集塵ホース２１を介して掃除機本体２の内部に連通される。
【００２７】
吸込口体２６は、延長管２５の一端に着脱自在に接続される。また、吸込口体２６は、木床やカーペットなどの被掃除面上を走行可能に構成されるとともに、走行状態において被掃除面に対向する底面に吸込口２８を有する。さらに、吸込口体２６は、吸込口体２６に軸支され吸込口２８に配置された回転清掃体２９と、回転清掃体２９を回転駆動させる電動機３１と、を備える。吸込口体２６は、延長管２５、手元操作管２２および集塵ホース２１を介して掃除機本体２の内部に連通される。
【００２８】
電気掃除機１は、起動スイッチ２４ｂが操作されると電動送風機８を駆動させ掃除機本体２の内部に負圧（吸込負圧）を作用させる。この負圧は、本体接続口１２から集塵ホース２１と手元操作管２２と延長管２５とを経て吸込口体２６の吸込口２８に作用する。吸込口２８に作用した負圧によって、電気掃除機１は、被掃除面に溜まった塵埃を空気とともに吸込口２８から吸い込んで被掃除面を掃除する。吸込口２８に吸い込まれた含塵空気は、掃除機本体２に収容された塵埃分離集塵部７によって空気と塵埃とに分離される。分離された塵埃は、塵埃分離集塵部７に捕集される。他方、分離された空気は、塵埃分離集塵部７を通過し電動送風機８に吸い込まれて掃除機本体２から排気される。
【００２９】
図２は、本発明の実施形態に係る電動送風機を示した斜視図である。  
図３は、本発明の実施形態に係る電動送風機を示した背面図である。  
図４は、本発明の実施形態に係る電動送風機を示した図３のＩＶ−ＩＶ線における断面図である。
【００３０】
図２から図４に示すように、本実施形態に係る電動送風機８は、吸気口４１を有するファンケース４２と、ファンケース４２に覆われて吸気口４１から空気を吸い込む遠心ファン４４と、ファンケース４２に連通されるとともに排気口４５を有するモータケース４７と、遠心ファン４４が一方の端部４８ａに一体に固定された回転軸４８と、回転軸４８を回転駆動させるモータ５１と、遠心ファン４４とモータ５１との間に設けられて遠心ファン４４から吐出された空気を整流してモータケース４７に導く整流板５２と、を備える。
【００３１】
なお、説明を容易にするために以下、図４に示す姿勢を基本姿勢とし、回転軸４８の回転軸芯Ｃに沿う実線矢Ｆを前方として電動送風機８の前後の方向説明を行う。
【００３２】
先ず、ファンケース４２およびモータケース４７は、電動送風機８の外殻としての電動送風機ケース５４を構成し、内部空間を区画する。
【００３３】
ファンケース４２は、後方に開口５５された有底円筒形状に形成される。また、ファンケース４２は、前方底部の略中央に遠心ファン４４の回転軸芯Ｃに対して同心状に開口された吸気口４１を有する。吸気口４１は、電動送風機８の外部から遠心ファン４４へ空気を案内する。
【００３４】
モータケース４７は、熱に強く絶縁性に優れた熱硬化性樹脂、例えば不飽和ポリエステルなどの樹脂を用いて形成される。また、モータケース４７は、ファンケース４２の開口５５に嵌め込まれて固定されたフランジ部５６と、フランジ部５６の内周縁から連続させて形成されるとともに前方に開口５７された円筒形状部５９と、円筒形状部５９の後端に連続させて形成された中空錐体形状部６１と、中空錐体形状部６１の後端部の略中央から後方へ突出させて有底円筒形状に形成されたモータヘッド部６２（軸支部）と、開口５７に架橋されて開口５７の一部を覆う長手板状の整流板保持体６２と、を備える。
【００３５】
さらに、モータケース４７は、中空錐体形状部６１の側面に開口された排気口４５と、モータヘッド部６２の周縁部に配置された貫通孔６４と、を有する。排気口４５および貫通孔６４は、回転軸４８の回転軸芯Ｃ方向視において相互に異なる位相に配置され、互いに重なり合わない。
【００３６】
さらにまた、モータケース４７は、貫通孔６４の周縁に配置されてモータケース４７に一体に形成された補強リブ６５を備える。
【００３７】
フランジ部５６は、円筒形状部５９の開口５７縁である前縁部から拡開されて径外方向へ突出させて形成される。
【００３８】
中空錐体形状部６１は、電動送風機８の後方に配置されたモータヘッド部６２側から電動送風機８の前方に配置されたファンケース４２に向かって広がる円錐台形状に形成される。中空錐体形状部６１は、円錐台形状の他に角錐台形状に形成しても良い。
【００３９】
モータヘッド部６２は、その内周面に回転軸４８の他方の端部４８ｂを軸支するベアリング６６（軸支部）を保持する。
【００４０】
整流板保持体６２は、略中央から前方へ突出させて有底円筒形状に形成された軸受保持部６７を備える。軸受保持部６７は、その内周面に回転軸４８を軸支するベアリング６８を保持する。また、軸受保持部６７は、回転軸４８が挿通された貫通口７１を有する。なお、整流板保持体６２によって覆われていない開口５７の残部は、ファンケース４２側からモータケース４７へ空気を案内する連通口として機能する。
【００４１】
ベアリング６６、６８は、遠心ファン４４の回転軸芯Ｃに沿って延びた回転軸４８を軸支する。
【００４２】
補強リブ６５は、モータヘッド部６２に連続させて形成され回転軸４８の回転軸芯に平行な方向へ延ばされる。補強リブ６５は、貫通孔６４の周囲の強度を向上させるとともに貫通孔６４を通過する空気を回転軸芯Ｃに平行な方向へ案内する。
【００４３】
遠心ファン４４は、ファンケース４２の吸気口４１に対向させて開口された吸込口７２を有する上板７３と、上板７３から所定の間隙を離間させて位置された下板７４と、上板７３および下板７４に挟持された複数のファン翼７６と、を備える。遠心ファン４４は、電動送風機８の運転時に空気との摩擦によって発生する熱に対する耐熱性や、慣性モーメントの抑制などを考慮して、例えばアルミニウム合金を用いて形成される。
【００４４】
上板７３は、遠心ファン４４の前シュラウドであり、吸込口７２の周縁部を吸気口４１に向かって湾曲させて吸込口７２の周縁部から下板７４に向かって拡開させて略円板形状に形成される。吸込口７２は、その中心を遠心ファン４４の回転軸芯Ｃと略同心に位置させた円形の開口である。
【００４５】
下板７４は、遠心ファン４４の後シュラウドであり、上板７３と略同径の円板形状に形成される。下板７４は、回転軸４８が嵌挿された嵌挿孔７７を有する。
【００４６】
ファン翼７６は動翼であり、渦巻状に形成された後ろ向き羽根（遠心ファン４４の回転方向に対して後ろ向きに湾曲した羽根、換言すると、遠心ファン４４の回転方向へ凸の羽根）である。また、ファン翼７６は、遠心ファン４４の回転軸芯Ｃの直交方向（電動送風機８の径方向）へ放射状に配置される。さらに、ファン翼７６は、短冊状の細長い板の両長辺を下板７４または上板７３に挟持される。互いに隣り合うファン翼７６は、上板７３と下板７４との間に渦巻状の吸気風路７８を区画する。
【００４７】
モータ５１は、回転軸４８に設けられた回転子８１と、モータケース４７の内側に保持されて回転子８１の周囲に配置された略筒状の固定子８２と、回転軸４８に設けられて回転子８１に電気的に接続された整流子８３と、モータケース４７の側面から一部突出させて設けられた一対のブラシ機構８５と、を備える。
【００４８】
整流子８３は、モータヘッド部６２に近接させて設けられる。  
一対のブラシ機構８５は、整流子８３を挟み込むように対向させてモータケース４７の側面に固定される。ブラシ機構８５は、整流子８３に摺接されたカーボンブラシ８６（ブラシ）と、カーボンブラシ８６を出没自在に保持するブラシ保持器８７と、を備える。ブラシ保持器８７は、カーボンブラシ８６を整流子８３に押圧して両部材間の電気的な接続を保持する。
【００４９】
ここで、整流子８３およびカーボンブラシ８６と貫通孔６４との配置関係によって、貫通孔６４を通過してモータケース４７外へ排気される空気の流れＦ１は、回転軸４８の回転軸芯Ｃに対して傾斜させた中空錐体形状部６１の内面および整流子８３に挟まれ貫通孔６４へ向かって流路面積が逓減する流路によって絞られた流れを成す。また、この空気の流れＦ１は、貫通孔６４を通過する際に補強リブ６５によって整流される。これらによって、空気の流れＦ１は、整流子８３の近傍において他の部分よりも流速の増した流れを形成する。
【００５０】
整流板５２は、整流板保持体６２によってモータ５１と遠心ファン４４との間に保持される。また、整流板５２は、略円板形状の整流板本体８９と、整流板本体８９の遠心ファン４４に臨む面の外周縁部から突出させて遠心ファン４４の周囲に配置された複数の上流案内羽根９１と、整流板本体８９のモータ５１に臨む面の外周縁部から突出させて形成された複数の下流案内羽根９２と、を備える。
【００５１】
整流板本体８９は、遠心ファン４４よりも大きい直径を有する。整流板本体８９は、遠心ファン４４に臨む一主面と、一主面の裏面である他主面と、外周に形成された複数の鋸歯状の切り欠き（図示省略）と、整流板保持体６２の軸受保持部６７が嵌挿された略円形の貫通口９６と、を有する。
【００５２】
上流案内羽根９１は静翼であり、各々、回転軸芯Ｃ方向視において渦巻状に形成され、全体では略等間隔の放射状に配列される。上流案内羽根９１の渦巻方向は、遠心ファン４４のファン翼７６の渦巻方向の逆方向に指向される。互いに隣り合う上流案内羽根９１は、整流板本体８９の外周に向かって次第に幅広となる案内風路９７を区画する。案内風路９７は、遠心ファン４４の吸気風路７８を臨む。
【００５３】
下流案内羽根９２は、各々、回転軸芯Ｃ方向視において渦巻状に形成され、全体では略等間隔の放射状に配列される。下流案内羽根９２の渦巻方向は、遠心ファン４４のファン翼７６の渦巻方向に指向される。互いに隣り合う下流案内羽根９２は、流過風路９８を区画する。
【００５４】
図５は、本発明の実施形態に係る電動送風機を示した図３のＶ−Ｖ線における断面図である。
【００５５】
図５に示すように、電動送風機８は、中空錐体形状部６１の側面に一体に形成されて排気口４５を回転軸４８から離れる方向へ複数の小排気口４５ａ、４５ｂに分割するとともに回転軸４８の回転軸芯Ｃに平行な方向へ延びた排気案内羽根９９を備える。
【００５６】
排気口４５は、回転軸４８の回転軸芯Ｃに対して傾斜させた中空錐体形状部６１の側面に開口される。このような排気口４５の配置によって、排気口４５を通過してモータケース４７外へ排気される空気の流れＦ２は、整流子８３の近傍において回転軸４８の回転軸芯Ｃに略平行な流れを成す。また、この空気の流れＦ２は、排気口４５を通過する際に排気案内羽根９９によって整流されるため、整流子８３の近傍において層流を成す。
【００５７】
このように構成された本実施形態に係る電動送風機８は、遠心ファン４４から吐出された空気を整流板５２によってモータケース４７へ導き、回転子８１および固定子８２の周囲を通過させた後、整流子８３およびカーボンブラシ８６へ導いてこれらを冷却する。
【００５８】
ここで、回転軸４８の回転軸芯Ｃ方向にみて排気口４５が存する位相角部分（図３における領域Ａであり図５の断面図に代表される部分、以下、「第１位相角部分」と呼ぶ。）と、排気口４５が無く貫通孔６４が存する中空錐体形状部６１の側面が連続的に形成された位相各部分（図３における領域Ｂであり図４の断面図に代表される部分、以下、「第２位相角部分」と呼ぶ。）と、の空気の流れを順次に説明する。
【００５９】
先ず、第１位相角部分について、回転子８１および固定子８２の周囲を通過した空気の流れＦ２は、回転軸４８に対する排気口４５の配置および排気口４５に配置された排気案内羽根９９によって、整流子８３の近傍において回転軸４８の回転軸芯Ｃに略平行な層流を形成しつつモータケース４７外へ円滑に排気される。この空気の流れＦ２は、整流子８３によって温められた空気をモータケース４７外へ速やかに排気する。本実施形態に係る電動送風機８は、このような空気の流れＦ２によって整流子８３の周囲に高温の空気を滞留させることなく整流子８３およびカーボンブラシ８６を効率的に冷却する。
【００６０】
次に、第２位相角部分について、回転子８１および固定子８２の周囲を通過した空気の流れＦ１は、回転軸４８および中空錐体形状部６１に挟まれた流路の構成および貫通孔６４を囲む補強リブ６５によって、整流子８３の近傍に他の部分よりも流速の増した流れを形成しつつモータケース４７外へ円滑に排気される。この空気の流れＦ１は、整流子８３によって温められた空気をモータケース４７外へ速やかに排気する。本実施形態に係る電動送風機８は、このような空気の流れＦ１によって整流子８３の周囲に高温の空気を滞留させることなく整流子８３およびカーボンブラシ８６を効率的に冷却する。
【００６１】
本実施形態に係る電動送風機８は、回転軸４８に対する排気口４５の配置および排気口４５に配置された排気案内羽根９９によって、整流子８３およびカーボンブラシ８６を効果的に冷却する。また、電動送風機８は、回転軸４８および中空錐体形状部６１に挟まれた流路の構成および貫通孔６４を囲む補強リブ６５によって、整流子８３およびカーボンブラシ８６を効果的に冷却する。
【００６２】
これら整流子８３を冷却する空気の流れを形成する第１位相角部分の構成および第２位相角部分の構成は、それぞれを個別に適用しても整流子８３およびカーボンブラシ８６を効率的に冷却できるものであり、双方の構成を備えた電動送風機８では、整流子８３およびカーボンブラシ８６をさらに飛躍的に冷却できる。
【００６３】
また、本実施形態に係る電動送風機８は、樹脂製のモータケース４７に限らず、金属製のモータケースにも適用できる。この場合、本実施形態に係る電動送風機８は、樹脂製のモータケース４７に比べて熱伝導率、放熱性の高い金属製のモータケースによって、整流子８３およびカーボンブラシ８６をさらに効率的に冷却できる。
【００６４】
さらに、本実施形態に係る電動送風機８は、整流子８３およびカーボンブラシ８６の効率的な冷却によって、その寿命を改善できる。
【００６５】
したがって、本発明の実施形態に係る電動送風機８によれば、整流子８３およびカーボンブラシ８６を効率的に冷却可能な構造を備える。
【符号の説明】
【００６６】
１  電気掃除機
２  掃除機本体
３  管部
５  本体ケース
６  車輪
７  塵埃分離集塵部
８  電動送風機
９  本体制御部
１１  電源コード
１２  本体接続口
１４  電源プラグ
１９  接続管
２１  集塵ホース
２２  手元操作管
２３  把持部
２４  操作部
２４ａ  停止スイッチ
２４ｂ  起動スイッチ
２５  延長管
２６  吸込口体
２８  吸込口
２９  回転清掃体
３１  電動機
４１  吸気口
４２  ファンケース
４４  遠心ファン
４５  排気口
４５ａ、４５ｂ  小排気口
４７  モータケース
４８ａ  端部
４８ｂ  端部
４８  回転軸
５１  モータ
５２  整流板
５４  電動送風機ケース
５５  開口
５６  フランジ部
５７  開口
５９  円筒形状部
６１  中空錐体形状部
６２  モータヘッド部
６２  整流板保持体
６４  貫通孔
６５  補強リブ
６６  ベアリング
６７  軸受保持部
６８  ベアリング
７１  貫通口
７２  吸込口
７３  上板
７４  下板
７６  ファン翼
７７  嵌挿孔
７８  吸気風路
８１  回転子
８２  固定子
８３  整流子
８５  ブラシ機構
８６  カーボンブラシ
８７  ブラシ保持器
８９  整流板本体
９１  上流案内羽根
９２  下流案内羽根
９４  切り欠き
９６  貫通口
９７  案内風路
９８  流過風路
９９  排気案内羽根
【図１】
2011196325.tif 000003
【図２】
2011196325.tif 000004
【図３】
2011196325.tif 000005
【図４】
2011196325.tif 000006
【図５】
2011196325.tif 000007